(57)【要約】【課題】入浴者が寝浴しながら自然な体勢において、その視線が蛍光塗料で描かれた天井の図柄を見ることができ、リラクゼーション効果を大幅に向上する。【解決手段】浴室１の天井２に蛍光塗料で図柄１１が施されており、天井２の図柄１１を眺めるために、入浴者Ｐの頭部を上方に向けて支持する支持部１４が浴槽５に形成されており、浴槽５の背もたれ部１９の背もたれ角度αが５０°〜６０°に形成されている。【選択図】    図１
2004187898.tif 000002
【特許請求の範囲】
【請求項１】
天井及び浴槽を有する浴室において、前記天井に図柄が施されており、前記天井の図柄を眺めるために、入浴者の視線を上方に向けて頭部を支持する支持部が浴槽に形成されていることを特徴とする浴室。
【請求項２】
前記天井の図柄が蛍光塗料によって描かれていることを特徴とする請求項１記載の浴室。
【請求項３】
入浴者の頭部を支持する支持部が形成された浴槽において、入浴者が天井を眺めることができるように、前記支持部が浴槽の上面から凹状にくぼんで形成されていることを特徴とする浴槽。
【請求項４】
前記支持部は枕が着脱可能であり、枕がずれどめ可能であるように形成されていることを特徴とする請求項３記載の浴槽。
【請求項５】
背もたれ部の背もたれ角度が５０°〜６０°に形成されていることを特徴とする請求項３又は４記載の浴槽。
【発明の詳細な説明】
【０００１】
【発明の属する技術分野】
本発明は、浴室及びこの浴室に適した浴槽に関し、より詳しくは、蛍光塗料で図柄が描かれ、近紫外線を照射すると励起発光されて発色して興趣深い天井を有する浴室に関するとともに、入浴者が仰向けで寝るような体勢で入浴（本明細書ではこれを、「寝浴」という。）可能であり、しかもこの体勢で目線上に天井の図柄があり自然に見ることができることを可能とする浴槽に関する。
【０００２】
【従来の技術】
近年、浴室は身体の洗浄という本来の目的だけでなく、入浴によるリラクゼーション効果も重視され、さらに、深い浴槽による大きな水圧による心臓等への圧迫等の入浴者の体への負担を軽減する検討もされている。これらのことを考慮して、浴室及び浴槽について、次のようないろいろな工夫が提案されている。
【０００３】
例えば、天井に蛍光塗料で模様を描き、この天井に近紫外線を照射して発光させて浴室の演出効果を高める浴室は、すでに知られている（特許文献１及び特許文献２参照。）。
【０００４】
又、半身浴用の浴槽は周知であるが、足を伸ばした状態で、リラックスして入浴するために浴槽に首載せ部を設け、しかも胸から上及び肩も含めて湯に浸かれるようにする構成は、知られている（特許文献３参照。）。
【０００５】
さらに、浴槽の縁や浴槽フランジの首のせ部に浴槽用の枕を取り付ける構成は、知られている（特許文献４、５参照。）。
【０００６】
【特許文献１】
特開平８−８６１００号公報（図１、２、段落００５）
【特許文献２】
特開平５−８６７３８号公報（図１、段落００１０）
【特許文献３】
実用新案登録第２５５７６０７号公報（図１、段落０００３）
【特許文献４】
実用新案登録第３０５５５４７号公報（図１、２、段落０００５）
【特許文献５】
実開昭６０−１８９２９２号公報（第２図）
【０００７】
【発明が解決しようとする課題】
しかしながら、特許文献１、２に開示されたものでは、折角、天井に蛍光塗料で興趣深い模様が描かれていても、入浴者が見上げなければ何ら浴室の演出効果が有効になるものではない。又、特許文献４、５は、単なる着脱可能な枕であり、その取付手段についても、特許文献４では取付部材を付設しなくてはならず、特許文献５ではフランジにヒンジで枢着しなければならない等、構造が複雑となるという問題がある。
【０００８】
本発明は、上記問題点を解決することを目的とするものであり、入浴者が寝浴しながら自然な体勢において、その目線が蛍光塗料で描かれた天井の図柄に向かい、リラクゼーション効果を大幅に向上すべき浴室及び浴槽の関連的な構造を実現するものである。
【０００９】
さらに、入浴者が寝浴しながら天井の図柄を見ることができる構造の浴槽の背もたれ部及び頭を支持する支持部と、入浴者の好みに応じて支持部に簡単に着脱可能でしかも浴槽からずれ落ちることのない構造の枕とを実現するものである。
【００１０】
【課題を解決するための手段】
本発明は上記課題を解決するために、天井及び浴槽を有する浴室において、前記天井に図柄が施されており、前記天井の図柄を眺めるために、入浴者の視線を上方に向けて頭部を支持する支持部が浴槽に形成されていることを特徴とする浴室を提供する。
【００１１】
本発明は上記課題を解決するために、入浴者の頭部を支持する支持部が形成された浴槽において、入浴者が天井を眺めることができるように、前記支持部が浴槽の上面から凹状にくぼんで形成されていることを特徴とする浴槽を提供する。
【００１２】
さらに、本発明に係る前記浴室及び浴槽の夫々について、その細部を次の（１）〜（３）に示す構成の一つを選択し又はそれらを組み合わせた構成としてもよい。
（１）前記天井の図柄が蛍光塗料によって描かれている構成としてもよい。
（２）前記支持部は枕が着脱可能であり、枕がずれどめ可能であるように形成されている構成としてもよい。
（３）背もたれ部の背もたれ角度が５０°〜６０°に形成されている構成としてもよい。
【００１３】
【発明の実施の形態】
本発明に係る浴室及び浴槽の実施の形態を実施例に基づいて図面を参照し、以下説明する。
【００１４】
図１は、本発明に係る浴室１及び浴槽５の実施例の全体構成を説明する図である。この浴室１は、天井２、側壁３及び床４を有し、床４の上に設置された浴槽５を有する。この実施例の天井２は、上方に向かってスペース（天井空間）６を徐々に狭くする複数の段面部７と、頂面部８とから全体的に凹状に形成されている。複数の段面部７は、夫々垂直壁９及び水平壁１０とから構成され、最下段の段面部７の水平壁１０が天井２の裾部として側壁３の上に配置される。
【００１５】
このような構造の天井２の内面（段面部７及び頂面部８の内面）には、例えば星座、風景、模様等の各種の図柄１１が描かれている。この図柄１１は、通常の塗料を使用し塗装又は印刷で描かれていてもよいが、この実施例では、蛍光塗料で塗装又は印刷等の手段で彩色がほどこされて興趣深く描かれている。
【００１６】
なお、蛍光顔料を含有し近紫外線を照射すると励起発光するプラスチック、セラミック等の成形体で天井２を形成してもよいし、このような成形体又は蛍光顔料入りインキで印刷されたフィルムを天井２の内面に貼着した構成としてもよい。
【００１７】
天井２の段面部７の最下段の垂直壁９には、近紫外線ランプ１２及び湾曲内面を有する反射板１３が取付られている。この近紫外線ランプ１２で発光した近紫外線が反射板１３で天井２に向けて反射され、天井２の内面に照射される。これにより、蛍光塗料で描かれた図柄１１は近紫外線で励起発光されて発色し、天井２の図柄１１はきわめて興趣深い状態で見ることができる。なお、天井２の段面部７の最下段の水平壁１０には、照明ランプ１５が付設されている。
【００１８】
本発明では、このように天井２に描かれた図柄１１を、図１に示すように、入浴者Ｐが仰向けで自然に寝るような体勢で入浴し、入浴者の体に無理がかかることなく、リラックスしてゆっくりと見ることができるような浴槽５を実現するものであり、この浴槽５についてさらに詳細に説明する。
【００１９】
本発明に係る浴槽５を図２、３において説明する。図２（ａ）は浴槽５の平面図であり、図２（ｂ）は（ａ）のＡ−Ａ断面図であり、図３（ａ）は図２（ａ）のＢ−Ｂ断面図であり、図３（ｂ）は浴槽５における入浴者の頭部を支持する支持部（頭載せ部）１４を説明する図であり、図３（ｃ）は浴槽５の足側（図３（ａ）で右側）の部分を説明する図である。
【００２０】
浴槽５の槽部（湯を収容する部分）１７の背部側（図３（ａ）で左側）の側面には、図３（ａ）に示すように、浴槽の底１８から頭部側にかけて傾斜面から成る背もたれ部１９が形成されている。本発明では、浴槽５の背もたれ部１９の水平面に対する角度（本明細書では「背もたれ角度」という。）αを５０°〜６０°に形成する。このような背もたれ角度αとすると、図１に示すように、入浴者Ｐの背部を自然にもたれかけさせて寝浴の体勢をとることができ、入浴者Ｐの身体に作用する浮力と相俟ってリラクゼーション効果が得られる。
【００２１】
この傾斜角度αの範囲が、５０°〜６０°より小さいと、寝浴状態から起き上がるときに腰に負担がかかったり、腹筋を必要とする等、入浴者Ｐの体に負担がかり、特に高齢者等には問題である。又、背もたれ角度αが、５０°〜６０°の範囲より大きいと、ほぼ座った状態となるからリラクゼーション効果が生じず、腰に負担がかかるという問題も生じる。
【００２２】
背もたれ角度αが、５０°〜６０°であると、入浴者Ｐは寝浴の体勢がとれるだけでなく、入浴者Ｐの目線上に天井２の面に描かれた図柄１１が存在し、入浴者Ｐは頭を動かしたりすることなく、自然状態で図柄を見ることができる。これにより、入浴者Ｐは寝浴スタイルによるリラクゼーションと、興趣深い図柄１１、特に近紫外線で励起発光され発色した興趣深い、幻想的な図柄１１を見ることができ、リラクゼーション効果も倍増する。
【００２３】
さらに、本発明に係る浴槽５は、背もたれ部１９の上方に入浴者Ｐの視線を上方に向けて頭部を支持する支持部１４（頭載せ部）が形成されている。この支持部１４は、図３（ａ）、（ｂ）に示すように、入浴者Ｐの後頭部に沿うように、浴槽５の背もたれ部１９の上方から浴槽５の頭部側フランジ縁２０に向かう面において凹状の湾曲面１６として形成されている、要するに凹状にくぼんで形成されている。このように支持部１４は凹状の湾曲面１６として形成されているから、浴槽５の背もたれ部１９とあいまって入浴者の頭部の座りを良くすることができる。
【００２４】
さらに、支持部１４は頭部側フランジ縁２０とともに、入浴者Ｐの頭部を支持する枕２１が浴槽５からずれ落ちることなく、着脱可能に取り付けれるような構成となっている。即ち、浴槽５の支持部１４の凹状の湾曲面１６とその外側の頭部側フランジ縁２０に、枕２１の下面をぴったりと当接し、しかも浴槽５の支持部の凹状の湾曲面１６（凹状にくぼんでいる部分）と頭部側フランジ縁２０との凸状の連成部２２が、枕２１の下面の凹部２３に嵌合して枕２１が浴槽５からずれることを防止する（ずれ止めする）構成となっている。
【００２５】
図４は、浴槽５に着脱可能に取り付けられる枕２１を説明する図であり、この図４及び前述の図３を利用して、さらに枕２１の浴槽へのずれ落ちることなく装着できる点について説明する。図４（ａ）は枕２１の平面図であり、図４（ｂ）のＡ−Ａ断面図であり、図４（ｃ）は枕２１の正面図であり、図４（ｄ）は枕２１を浴槽５に装着して入浴者Ｐが使用している状態を示す図である。
【００２６】
図４（ａ）に示すように、枕２１の平面形状はほぼ半円形であり、図４（ｂ）、（ｃ）に示すようにその上面には、凹状に湾曲した頭載せ面２４が形成されており、その左右両側は隆起部２５が形成されている。又、枕２１の下面は凸状のなだらかな湾曲面２６と、ほぼ平坦面２７と、先端部２８とから構成されている。枕２１は、例えばゴム、合成樹脂等のソフトな素材で成形されている。
【００２７】
枕２１の湾曲面２６は浴槽５の支持部１４の凹状の湾曲面１６にぴったりと当接し、平坦面２７は浴槽５の頭部側フランジ２９に当接し、さらに先端部２８は浴槽５の頭部側のフランジ縁２０に当接する。枕２１の湾曲面２６と平坦面２７との連成部２３に、浴槽５の凸状の連成部２２が嵌合して当接するので、枕２１が浴槽５からずれ落ちることがない。
【００２８】
本発明の浴槽５では、この枕２１は入浴者Ｐの気分や好みに応じて使用しても、使用しなくても、いずれの場合でも快適に入浴することができる。入浴者Ｐが枕２１を利用する際には、図４（ｄ）に示すように、枕２１を支持部１４に装着すればよい。
【００２９】
入浴者Ｐは、その頭部を枕２１の凹状に湾曲した頭載せ面２４に載せると、上記角度αの範囲に形成された背もたれ部１９と相俟って、自然な状態で寝浴でき、しかも、入浴者の目線上に天井２の図柄１１がくるので、頭を動かすことなく見ることができ、これらが相乗して入浴時の快適さ、リラクッス感が大幅に向上する。
【００３０】
なお、浴槽５の足側のフランジ部３０は、図３（ｃ）に示すように、フランジ縁３１から浴槽５の槽部１７にかけて緩やかな傾斜面として形成されている。
【００３１】
浴槽５の深さは、通常の浴槽より浅い４５０ｍｍとすることで、上記の背もたれ傾斜角αが５０°〜６０°に形成されている場合でも、深すぎず、浅すぎず、入浴者Ｐは肩まで浸かることができる。
【００３２】
以上、本発明に係る浴室及び浴槽の実施形態を実施例に基づいて説明したが、本発明は特にこのような実施例に限定されることなく、特許請求の範囲記載の技術的事項の範囲内でいろいろな実施例があることはいうまでもない。
【００３３】
【発明の効果】
本発明は以上の構成であるので、次のような効果が生じる。
（１）天井の面に蛍光塗料で描かれた図柄が近紫外線を照射することで励起発光し、発色して、幻想的な浴室空間が創られ、入浴者は、体、特に心臓に負担が少ない肩まで浸かる寝浴スタイルのままで、その目線上に天井に描かれた星座、風景等の癒し効果を持つ図柄を見ることができるから、究極のリラクゼーション効果、癒し効果が得られる。
【００３４】
（２）本発明の浴槽の背もたれ部及び支持部によれば、入浴者が寝浴しながらリラックスして天井の図柄を見ることができるだけでなく、入浴者の好みに応じて支持部に簡単かつ着脱可能でずれ落ちることのない枕を取り付けることができる。特に、本発明では、枕取り付け用の固定具等が浴槽及び枕に付設されないので、構造が簡単となるだけでなく、これらの固定具に入浴者の体が触れて傷がつく等の危険もない。
【図面の簡単な説明】
【図１】本発明の実施例の浴室の全体構成を説明する図である。
【図２】本発明の浴槽を説明する図である。
【図３】本発明の浴槽を説明する図である。
【図４】本発明の浴槽に使用される枕を説明する図である。
【符号の説明】
１  浴室
２  天井
３  側壁
４  床
５  浴槽
６  スペース（天井空間）
７  段面部
８  頂面部
９  垂直壁
１０  水平壁
１１  図柄
１２  近紫外線ランプ
１３  反射板
１４  入浴者の頭部を支持する支持部（頭載せ部）
１５  照明ランプ
１６  支持部の凹状の湾曲面
１７  浴槽の槽部（湯を収容する部分）
１８  浴槽の底
１９  背もたれ部
２０  頭部側フランジ縁
２１  枕
２２  浴槽の連成部
２３  枕の下面の凹部
２４  枕の頭載せ面
２５  枕の左右の隆起部
２６  枕下面の凸状の湾曲面
２７  枕下面の平坦面
２８  枕の先端部
２９  浴槽の頭部側フランジ
３０  浴槽の足側のフランジ部
３１  浴槽の足側のフランジ縁
Ｐ  入浴者
【図１】
2004187898.tif 000003
【図２】
2004187898.tif 000004
【図３】
2004187898.tif 000005
【図４】
2004187898.tif 000006